(57)【要約】【課題】高解像度に変換する際の悪影響を抑止する。【解決手段】実施形態の表示装置は、受信手段と、交換判定手段と、画像処理手段と、を備える。受信手段は、動画データ処理装置から、当該動画データ処理装置に入力された動画データに対して解像度が変換されたか否かを示す識別情報を、動画データと共に、動画データを送信するための規格に従って受信する。交換判定手段は、識別情報に基づいて、動画データ処理装置が動画データを規格で定められた画面の解像度に変換したか否かを判定する。画像処理手段は、変換判定手段により前記規格で定められた画面の解像度に変換されたと判定された場合に、動画データに対して、解像度変換の影響を抑止するための画像処理を行う。【選択図】図５
2013078071.tif 000002
【特許請求の範囲】
【請求項１】
動画データ処理装置から、当該動画データ処理装置に入力された前記動画データに対して解像度が変換されたか否かを示す識別情報を、前記動画データと共に、動画データを送信するための規格に従って受信する受信手段と、
前記識別情報に基づいて、前記動画データ処理装置が前記動画データを前記規格で定められた画面の解像度に変換したか否かを判定する変換判定手段と、
前記変換判定手段により前記規格で定められた画面の解像度に変換されたと判定された場合に、前記動画データに対して、解像度変換の影響を抑止するための画像処理を行う画像処理手段と、
を備える表示装置。
【請求項２】
前記受信手段は、ＨＤＭＩ（High-Definition  Multimedia  Interface）で定められた画面解像度の動画データと共に、ＨＤＭＩ―ＣＥＣ（High-Definition  Multimedia  Interface  −  Consumer  Electronics  Control）規格に従って前記識別情報を受信する、
請求項１に記載の表示装置。
【請求項３】
前記変換判定手段は、前記識別情報に基づいて、前記動画データ処理装置がＳＤ映像から前記規格で定められた画面の解像度に変換したか否かを判定し、
前記画像処理手段は、ＳＤ映像から、変換されたと判定した場合、前記動画データに対して、ノイズ除去、ＩＰ変換、及び画像鮮鋭化処理のうち少なくとも１つの処理を行う、
請求項２に記載の表示装置。
【請求項４】
動画データを入力する入力手段と、
前記入力手段により入力された動画データに対して、表示装置に動画データを送信するための規格で定められた画面の解像度に変換する変換手段と、
前記変換手段で変換した前記動画データを前記規格に従って送信する際に、前記動画データの解像度が前記変換手段により変換されたか否かを示す識別情報を、前記表示装置に送信する送信手段と、
を備える動画データ処理装置。
【請求項５】
前記入力手段が入力した前記動画データの解像度が、前記規格で定められた画面の解像度より小さいか否かを判定する判定手段をさらに備え、
前記変換手段は、前記判定手段により前記規格で定められた画面の解像度より小さいと判定された場合に、前記動画データに対して画面の解像度を変換する、
請求項４に記載の動画データ処理装置。
【請求項６】
前記判定手段は、前記入力手段が入力した前記動画データが、ＨＤＭＩ（High-Definition  Multimedia  Interface）で定められた画面の解像度より小さいＳＤ映像の解像度であるか否かを判定し、
前記変換手段は、前記判定手段によりＳＤ映像の解像度であると判定された場合に、前記動画データに対して解像度を変換し、
前記送信手段は、前記入力手段により入力されたときの動画データの解像度がＳＤ映像であることを示した前記識別情報を、前記表示装置に対してＨＤＭＩ−ＣＥＣ（High-Definition  Multimedia  Interface  −  Consumer  Electronics  Control）を用いて送信する、
請求項５に記載の動画データ処理装置。
【発明の詳細な説明】
【技術分野】
【０００１】
本発明の実施形態は、動画データ処理装置、及び表示装置に関する。
【背景技術】
【０００２】
近年、一般家庭において、ＳＤ（Standard  Definition）規格を超える解像度を持つテレビジョン受像器で、映像コンテンツを視聴する機会が増加している。
【０００３】
このような映像コンテンツを受け渡すために機器間を接続する規格として、ＨＤＭＩ（High-Definition  Multimedia  Interface）が提案されている。ＨＤＭＩは、高解像度に対応したマルチメディアインターフェースの１つである。このＨＤＭＩを用いることで、セキュリティを確保しつつ、高解像度の映像コンテンツを受け渡すことが可能となった。
【０００４】
ところで、ビデオカメラ等の撮影機器により取得された映像データやＳＤ規格対応のテレビジョン放送、ＤＶＤ等の映像コンテンツは、地上波デジタル放送やBlu-rayディスクの映像コンテンツと比べて解像度が低い。このため、映像コンテンツを受け渡す際に、映像コンテンツをアップコンバートし、高解像度化している。
【０００５】
また、映像コンテンツを高解像度化した場合に、高解像度による悪影響を抑止するために、映像コンテンツに対してノイズ除去や鮮鋭化処理を行う技術が提案されている。
【先行技術文献】
【特許文献】
【０００６】
【特許文献１】特開２０１０−１５２５１８号公報
【発明の概要】
【発明が解決しようとする課題】
【０００７】
しかしながら、従来技術においては、テレビジョン受像器に映像コンテンツを受け渡す前に、上記ＨＤＭＩ規格に合わせて高解像度化を図った場合、テレビジョン受像器側では、高解像度化（例えば、Standard  DefinitionからHigh  Definitionへアップコンバート）された映像コンテンツなのか、最初から高解像度の映像コンテンツなのか認識できない。このため、高解像度による悪影響を抑止できないという問題が生じていた。
【０００８】
本発明は、上記に鑑みてなされたものであって、高解像度に変換する際の悪影響を抑止する動画データ処理装置、及び表示装置を提供する。
【課題を解決するための手段】
【０００９】
実施形態の表示装置は、受信手段と、交換判定手段と、画像処理手段と、を備える。受信手段は、動画データ処理装置から、当該動画データ処理装置に入力された動画データに対して解像度が変換されたか否かを示す識別情報を、動画データと共に、動画データを送信するための規格に従って受信する。交換判定手段は、識別情報に基づいて、動画データ処理装置が動画データを規格で定められた画面の解像度に変換したか否かを判定する。画像処理手段は、変換判定手段により前記規格で定められた画面の解像度に変換されたと判定された場合に、動画データに対して、解像度変換の影響を抑止するための画像処理を行う。
【００１０】
本実施形態にかかる動画データ処理装置は、入力手段と、変換手段と、送信手段と、を備える。入力手段は、動画データを入力する。変換手段は、入力手段により入力された動画データに対して、表示装置に動画データを送信するための規格で定められた画面の解像度に変換する。送信手段は、変換手段で変換した動画データを規格に従って送信する際に、動画データの解像度が前記変換手段により変換されたか否かを示す識別情報を、表示装置に送信する。
【図面の簡単な説明】
【００１１】
【図１】図１は、実施形態にかかるシステム構成を示した図である。
【図２】図２は、実施形態にかかる録画再生装置及びテレビジョン表示装置のハードウェア構成を示した図である。
【図３】図３は、従来の録画再生装置から提供された動画コンテンツを表示するテレビジョン表示装置１００を示した図である。
【図４】図４は、実施形態にかかる録画再生装置のＳｏＣ（System-on-a-chip）内で実現される構成を示した図である。
【図５】図５は、実施形態にかかるテレビジョン表示装置における、ＳｏＣ及びＴＶマイコンで実現される構成を示した図である。
【図６】図６は、第１の実施形態にかかる録画再生装置でＳＤ映像からＨＤ映像に動画データがアップコンバートされていた場合に、本実施形態にかかる画像処理部が行う処理を示した図である。
【図７】図７は、本実施形態にかかる録画再生装置の処理手順を示したフローチャートである。
【図８】図８は、本実施形態にかかるテレビジョン表示装置の処理手順を示したフローチャートである。
【発明を実施するための形態】
【００１２】
以下に示す実施形態では、動画データ処理装置を録画再生装置に適用し、表示装置をテレビジョン表示装置に適用した例について説明する。
【００１３】
図１は、本実施形態にかかるシステム構成を示した図である。図１に示すように、本実施形態は、テレビジョン表示装置１００と、ＰＣ１１０と、録画再生装置１２０と、で構成された例を示した図である。
【００１４】
ＰＣ１１０及び録画再生装置１２０は、ＢＤ(Blu-ray  Disc)  Ｄｒｉｖｅｒを搭載しており、ＢＤとＤＶＤとを再生できる。そして、ＰＣ１１０又は録画再生装置１２０のＢＤ  Ｄｒｉｖｅｒで再生された動画データは、テレビジョン表示装置１００に表示される。
【００１５】
この動画データの表示を実現するために、本実施形態かかるテレビジョン表示装置１００、録画再生装置１２０、及びＰＣ１１０は、ＨＤＭＩ（High  Definition  Multimedia  Interface）規格に準拠したインタフェース（以下、ＨＤＭＩインタフェースという）により接続されている。本実施形態では、図１に示すように、各機器の間をＨＤＭＩケーブル１５１、１５２で接続している。これにより、テレビジョン表示装置１００と、録画再生装置１２０又はＰＣ１１０との間では、ＨＤＭＩインタフェースとを介して、映像信号（動画データ）を送受信できる。
【００１６】
また、ＨＤＭＩ規格において、さらにＣＥＣ（Consumer  Electronics  Control）規格が規定されている。本実施形態では、テレビジョン表示装置１００、録画再生装置１２０、及びＰＣ１１０は、いずれもＨＤＭＩ−ＣＥＣ機能を備えている。これにより、テレビジョン表示装置１００と、録画再生装置１２０又はＰＣ１１０と間のＨＤＭＩインタフェースを介して、ＣＥＣに準拠した制御情報等を送受信できる。
【００１７】
図２は、本実施形態にかかる録画再生装置１２０、及びテレビジョン表示装置１００のハードウェア構成を示した図である。以降、録画再生装置１２０から、テレビジョン表示装置１００に対して動画データを受け渡す場合について説明するが、ＰＣ１１０から、テレビジョン表示装置１００に対して動画データを受け渡す場合も同様として説明を省略する。
【００１８】
図２に示すように録画再生装置１２０は、ＢＤ(Blu-ray  Disc)  Ｄｒｉｖｅｒ２０１と、ＨＤＭＩ＿ＩＣ２０２と、ＳｏＣ２０３と、で構成されている。
【００１９】
ＢＤ  Ｄｒｉｖｅｒ２０１は、ＢＤ又はＤＶＤがセットされた場合に、当該ＢＤ又はＤＶＤに記録されている動画データを読み出す。
【００２０】
ＨＤＭＩ＿ＩＣ２０２は、ＨＤＭＩ規格に従って、動画データを転送可能なトランスミッタＩＣである。また、ＨＤＭＩ＿ＩＣ２０２は、ＨＤＭＩ−ＣＥＣ機能により、ＣＥＣに準拠した制御情報等を送信できる。
【００２１】
ＳｏＣ２０３は、ＢＤ  Ｄｒｉｖｅｒ２０１で読み出した動画データを、ＨＤＭＩ＿ＩＣ２０２で送信するために様々な機能を集約した集積回路である。
【００２２】
テレビジョン表示装置１００は、ＨＤＭＩ＿ＩＣ２５１と、ＴＶマイコン２５２と、ＳｏＣ２５３と、パネル表示部２５４と、リモートコントローラ受付部２５５と、で構成されている。
【００２３】
ＨＤＭＩ＿ＩＣ２５１は、ＨＤＭＩ規格に従って、動画データを受信可能なレシーバＩＣである。また、ＨＤＭＩ＿ＩＣ２５１は、ＨＤＭＩ−ＣＥＣ機能により、ＣＥＣに準拠した制御情報等を受信できる。
【００２４】
リモートコントローラ受付部２５５は、（図示しない）リモートコントローラからの制御信号を受け付けるセンサーである。
【００２５】
ＴＶマイコン２５２は、受信した動画データを再生するための制御や、リモートコントローラ受付部２５５が受け付けた制御信号に基づく操作のほか、テレビジョン表示装置１００が動画データを表示するための動作を統括制御する。さらに、ＴＶマイコン２５２は、ＨＤＭＩ＿ＩＣ２５１が受信した制御情報をデコードする機能を内蔵している。
【００２６】
ＳｏＣ２５３は、動画データに対して画像処理を行うために様々な機能を集約した集積回路（ＳｏＣ：System-on-a-chip）である。例えば、ＳｏＣ２５３は、動画データに対して、パネル表示部２５４で表示可能なアナログ映像信号に変換する。
【００２７】
パネル表示部２５４は、ＳｏＣ２５３から入力されたアナログ映像信号に基づいて、映像を表示する。
【００２８】
ところで、ＤＶＤに記憶された動画データと、ＢＤに記憶された動画データとでは、解像度が異なる。このため、ＤＶＤの動画データを、ＢＤの動画データを表示可能なテレビジョン表示装置で表示する際には、解像度の変換を行う必要があった。図３は、従来の録画再生装置から提供された動画コンテンツを表示するテレビジョン表示装置１００を示した図である。
【００２９】
図３の（１）は、ＤＶＤの動画データを表示する場合の例を示した図である。ＤＶＤには、ＤＶＤ―ＶＩＤＥＯ形式のＳＤ映像の動画データが記憶されている。そして、録画再生装置は、動画データを送信する際、ＨＤＭＩケーブルを介して、テレビジョン表示装置の性能を認識する。そして、録画再生装置は、テレビジョン表示装置の性能に合わせて、動画データをＨＤ映像に変換してから、テレビジョン表示装置に送信していた。
【００３０】
例えば、録画再生装置は、テレビジョン表示装置の解像度に合わせて、動画データを、１９２０×１０８０ｉ／ｐにアップコンバート（解像度変換）する。その後、録画再生装置は、アップコンバートした動画データを、ＨＤＭＩ規格に従ってテレビジョン表示装置１００に送信する。
【００３１】
一方、図３の（２）は、ＢＤの動画データを表示する場合の例を示した図である。ＢＤには、ＢＤ―ＶＩＤＥＯ形式のＨＤ映像データが記憶されている。このため、録画再生装置は、読み出したＨＤ映像の動画データ３０３を、映像の品質を損なうことなく直接、テレビジョン表示装置に送信できる。これにより、テレビジョン表示装置は、ＨＤ映像の動画データ３０４を表示できる。
【００３２】
しかしながら、図３の（１）に示す例のように、ＳＤ映像の動画データ３０１を単純に拡張してＨＤ映像の動画データ３０２を生成した場合、動画データに元々あるノイズがさらに拡張されると共に、映像も解像度感がないボケた映像になってしまう。しかしながら、テレビジョン表示装置が、解像度変換された動画データであっても、ＨＤＭＩのＨＤ映像であるため、ＳＤ映像をアップコンバートした動画データであるか否かを判別できない。
【００３３】
このため、テレビジョン表示装置は、ＳＤ映像をアップコンバートした動画データを受け取った場合でも、ＨＤ映像に適した画像処理を通常通り行い、表示していた。このため、場合によっては、ＳＤ映像を拡張した映像には適していない画像処理が行われていた。
【００３４】
そこで、本実施形態では、録画再生装置１２０から、テレビジョン表示装置１００に対して、送信される動画データが、ＤＶＤに格納されていたか否かを通知することとした。この通知に、ＤＶＤ−ＣＥＣ機能を用いることとした。
【００３５】
このＨＤＭＩ―ＣＥＣ機能においては、様々な制御情報を送信できる。例えば、ＨＤＭＩ―ＣＥＣ機能には、複数のメーカが共通で利用される共通コマンドと、独自に設定できる個有コマンドとがある。これらコマンドを実行することで、様々な制御情報の送信を実現できる。本実施形態では、固有コマンドによる固有の設定に対して、動画データの元の解像度がＳＤ映像（ＤＶＤ―ＶＩＤＥＯ形式）であるか否かを設定し、テレビジョン表示装置１００側で当該設定を読み出すこととした。
【００３６】
図４は、録画再生装置１２０のＳｏＣ２０３内で実現される構成を示した図である。図４に示す構成は、ＳｏＣ２０３内の図示しないＣＰＵが、プログラムを読み込むことで実現されるソフトウェア構成であっても良いし、ハードウェア構成として実現しても良い。
【００３７】
図４に示すように、録画再生装置１２０のＳｏＣ２０３内には、読出制御部４０１と、判定部４０２と、変換部４０３と、で構成されている。
【００３８】
読出制御部４０１は、ＢＤ  Ｄｒｉｖｅｒ２０１から、ＤＶＤ又はＢＤに格納されていた動画データを読み出すための制御を行う。これにより、録画再生装置１２０に対して、動画データが入力処理される。
【００３９】
判定部４０２は、読出制御部４０１が読み出した動画データの解像度が、ＨＤＭＩ規格で定められた画面の解像度より小さいＳＤ映像の解像度であるか否かを判定する。なお、本実施形態では、ＨＤＭＩ規格の場合について説明するが、高解像度の動画データ転送用の規格であればよい。
【００４０】
変換部４０３は、読出制御部４０１により読み出された動画データに対して、テレビジョン表示装置１００にＨＤ映像の動画データを送信するために、ＨＤＭＩ規格で定められた解像度に変換する。本実施形態では、判定部４０２が、ＨＤＭＩ規格で定められた解像度（ＨＤ映像）より小さいＳＤ映像であると判定された場合に、当該動画データをＨＤ映像にアップコンバートする。
【００４１】
そして、ＨＤＭＩ＿ＩＣ２０２が、動画データを、テレビジョン表示装置１００のＨＤＭＩ＿ＩＣ２５１に対して、ＨＤＭＩ規格を用いて送信する。また、読み出したコンテンツがＳＤ映像の場合、変換部４０３でＨＤ映像にアップコンバートされた後の動画データを、ＨＤＭＩ＿ＩＣ２０２が、ＨＤＭＩ規格を用いて送信する。
【００４２】
そして、ＨＤＭＩ＿ＩＣ２０２は、動画データを送信する際に、読出制御部４０１が読み出した時の動画データの解像度に対応する識別情報を、テレビジョン表示装置１００に送信する。この識別情報は、動画データがＤＶＤから読み出したか否かを示すフラグでも良いし、動画データがＳＤ映像であるか否かを示すフラグでも良い。さらには、動画データをアップコンバートしたか否かを示すフラグでも良い。このように、送信元のテレビジョン表示装置１００が、受信した動画データが解像度の変換がなされたか否かを認識できる識別情報（フラグ）であればよい。そして、本実施形態では、ＨＤＭＩ＿ＩＣ２０２が、当該識別情報を、ＨＤＭＩ−ＣＥＣ機能による個別コマンドを用いて受け渡す。これにより、識別情報が、テレビジョン表示装置１００に対して送信される。
【００４３】
したがって、従来ＨＤＭＩ規格の通信では、受け渡された動画データがアップコンバートされたものであるか否かを認識できなかったのに対し、本実施形態にかかるテレビジョン表示装置１００では、受信したＨＤ映像の動画データが、アップコンバートされたものであるか否かを認識できる。
【００４４】
図５は、テレビジョン表示装置１００における、ＳｏＣ２５３及びＴＶマイコン２５２で実現される構成を示した図である。
【００４５】
図５に示すＨＤＭＩ＿ＩＣ２５１は、ＨＤＭＩ規格（High-Definition  Multimedia  Interface）で定められた画面解像度の動画データを受信する。さらに、ＨＤＭＩ＿ＩＣ２５１は、ＨＤＭＩ―ＣＥＣ（High-Definition  Multimedia  Interface  −  Consumer  Electronics  Control）機能を用いて、解像度の変換がなされたか否かを示す識別情報を受信する。
【００４６】
図５に示すように、ＴＶマイコン２５２は、読出部５０１と、変換判定部５０２と、で構成されている。
【００４７】
読出部５０１は、ＨＤＭＩ＿ＩＣ２５１が受信した識別情報を読み出す。
【００４８】
変換判定部５０２は、読み出された識別情報に基づいて、録画再生装置１２０をＨＤＭＩ規格で定められた画面の解像度に変換したか否かを判定する。この判定結果に応じて、画像処理部５１０による画像処理を異ならせる。
【００４９】
図５に示すように、ＳｏＣ２５３内には、画像処理部５１０を含んでいる。そして、画像処理部５１０は、ノイズ除去部５１１と、ＩＰ変換部５１２と、画像鮮鋭化処理部５１３と、で構成され、変換判定部５０２により解像度に変換されたと判定された場合に、動画データに対して、解像度変換の影響を抑止するための画像処理を行う。
【００５０】
ノイズ除去部５１１、ＩＰ変換部５１２、及び画像鮮鋭化処理部５１３は、変換判定部５０２により解像度に変換されたと判定された場合に、以下に示す処理を行う。
【００５１】
ノイズ除去部５１１は、動画データに対してノイズ除去を行う。
【００５２】
ＩＰ変換部５１２は、動画データがインターレースの場合に、ＩＰ変換（IP  conversion）によってプログレッシブ信号に変換する。
【００５３】
画像鮮鋭化処理部５１３は、動画データに対して鮮鋭化処理を行う。その際に、画像鮮鋭化処理部５１３は、超解像度技術（Super  Resolution）を用いることで、高解像度感を向上させることができる。
【００５４】
なお、本実施形態においては、解像度が変換されたと判定された場合に、ノイズ除去、ＩＰ変換、及び画像鮮鋭化処理を行ったが、全ての処理を行う必要はなく、いずれか１つ以上の処理が行われていればよい。
【００５５】
図６は、録画再生装置１２０でＳＤ映像からＨＤ映像に動画データがアップコンバートされていた場合に、本実施形態にかかる画像処理部５１０が行う処理を示した図である。図６の（ａ）に示す動画データは、ＤＶＤのＳＤ映像をＨＤ映像に拡張された動画データの例とする。このような動画データは、解像度の変換でノイズが目立つようになっているため、ノイズ除去部５１１が、当該データデータに対して、ＮＲ(Noise  Reduction)をかけて、ノイズを除去する。これにより図６の（ｂ）に示す動画データとなる。その後、図６には示していないが、動画データがインターレースの場合に、ＩＰ変換部５１２によるＩＰ変換でプログレッシブ信号に変換される。
【００５６】
このように変換された、図６の（ｂ）に示す動画データにおいて、解像度感があまり生じていない。そこで、画像鮮鋭化処理部５１３が、動画データに対して鮮鋭化処理を行い、図６の（ｃ）に示す動画データとする。これにより、アップコンバートによりぼやけていた画像データが鮮明となる。このように本実施形態にかかるテレビジョン表示装置１００のＳｏＣ２５３は、ＳＤ映像をＨＤ映像にアップコンバートした動画データに対して、アップコンバートにより生じた影響を抑止するための専用の画質処理を行うことで、高画質化を実現している。
【００５７】
なお、図６に示す処理は、録画再生装置１２０でアップコンバートしていない、ＢＤから読み出された動画データに対しては行わない。
【００５８】
次に、録画再生装置１２０で行われる処理について説明する。図７は、本実施形態にかかる録画再生装置１２０の処理手順を示したフローチャートである。
【００５９】
まず、録画再生装置１２０は、動画データの再生を受け付ける（ステップＳ７０１）。
【００６０】
次に、読出制御部４０１が、ＢＤ  Ｄｒｉｖｅｒ２０１に対して、動画データの再生の開始を指示する（ステップＳ７０２）。そして、読出制御部４０１は、ＢＤ  Ｄｒｉｖｅｒ２０１を制御して、ＢＤ又はＤＶＤから動画データを読み出す（ステップＳ７０３）。
【００６１】
次に、判定部４０２が、読み出した動画データが、ＤＶＤ―ＶＩＤＥＯ形式、換言すればＳＤ映像であるか否かを判定する（ステップＳ７０４）。ＳＤ映像ではない、つまりＨＤ映像であると判定された場合（ステップＳ７０４：Ｎｏ）、ステップＳ７０６に進む。
【００６２】
一方、判定部４０２がＳＤ映像であると判定した場合（ステップＳ７０４：Ｙｅｓ）、変換部４０３が、動画データをＨＤ映像にアップコンバート（解像度変換）する（ステップＳ７０５）。
【００６３】
その後、ＨＤＭＩ＿ＩＣ２０２が、ＨＤＭＩを用いて動画データをテレビジョン表示装置１００に送信する（ステップＳ７０６）。
【００６４】
次に、ＨＤＭＩ＿ＩＣ２０２は、ＨＤＭＩ−ＣＥＣ機能を用いて、動画データの元の解像度に関する識別情報、あるいは解像度を変換したか否かを示す識別情報を、テレビジョン表示装置１００に対して送信する（ステップＳ７０７）。
【００６５】
当該識別情報をテレビジョン表示装置１００に送信することで、テレビジョン表示装置１００は、動画データに対して、画像処理を行うか否かを判定することが可能となる。
【００６６】
図８は、本実施形態にかかるテレビジョン表示装置１００の処理手順を示したフローチャートである。
【００６７】
まず、ＨＤＭＩ＿ＩＣ２５１が、ＨＤＭＩを用いて、動画データを受信する（ステップＳ８０１）。
【００６８】
次に、ＨＤＭＩ＿ＩＣ２５１は、ＨＤＭＩ−ＣＥＣ機能を用いて、識別情報を受信する（ステップＳ８０２）。
【００６９】
その後、ＴＶマイコン２５２の変換判定部５０２は、ＨＤＭＩ―ＣＥＣを介して通知された識別情報に基づいて、元の動画データがＤＶＤ―ＶＩＤＥＯ形式、換言すればＳＤ映像であったか否かを判定する（ステップＳ８０３）。ＳＤ映像ではないと判定した場合（ステップＳ８０３：Ｎｏ）、動画データは、パネル表示部２５４に出力され、ステップＳ８０７に進む。
【００７０】
一方、ＴＶマイコン２５２の変換判定部５０２が、ＤＶＤ―ＶＩＤＥＯ形式である、つまりＳＤ映像であると判定した場合（ステップＳ８０３：Ｙｅｓ）、ノイズ除去部５１１が、受信した動画データに対して、ノイズ除去を行う（ステップＳ８０４）。
【００７１】
その後、動画データがインターレースの場合、ＩＰ変換部５１２が、ＩＰ変換を行い、プログレッシブ信号を出力する（ステップＳ８０５）。
【００７２】
そして、画像鮮鋭化処理部５１３が、動画データに対して、鮮鋭化処理を行う（ステップＳ８０６）。そして、鮮鋭化処理が施された動画データは、パネル表示部２５４に出力される。
【００７３】
その後、パネル表示部２５４が、動画データを表示する（ステップＳ８０７）。
【００７４】
本実施形態ではＳＤ映像と判定された場合に、ノイズ除去、ＩＰ変換、及び鮮鋭化処理を呼行う例について説明したが、これらの処理に制限するものではなく、高解像度化された動画データに対して、高解像度化の影響を抑止するための画像処理であればよい。さらには、テレビジョン表示装置１００に表示するために高画質化を行うための画像処理と組み合わせても良い。
【００７５】
上述した処理手順により、ＳＤ映像からＨＤ映像にアップコンバートされた動画データを受信した場合でも、テレビジョン表示装置１００は、アップコンバートされた動画データであることを認識できるため、アップコンバートにより生じた影響を抑止するための画像処理を行うことができる。これにより、高画質化を図ることができる。
【００７６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１００…テレビジョン表示装置、１１０…ＰＣ、１２０…録画再生装置、１５１、１５２…ＨＤＭＩケーブル、２０１…ＢＤ  Ｄｒｉｖｅｒ、２０２…ＨＤＭＩ＿ＩＣ、２０３…ＳｏＣ、２５１…ＨＤＭＩ＿ＩＣ、２５２…ＴＶマイコン、２５３…ＳｏＣ、２５４…パネル表示部、２５５…リモートコントローラ受付部、４０１…読出制御部、４０２…判定部、４０３…変換部、５０１…読出部、５０２…変換判定部、５１０…画像処理部、５１１…ノイズ除去部、５１２…ＩＰ変換部、５１３…画像鮮鋭化処理部。
【図１】
2013078071.tif 000003
【図２】
2013078071.tif 000004
【図３】
2013078071.tif 000005
【図４】
2013078071.tif 000006
【図５】
2013078071.tif 000007
【図６】
2013078071.tif 000008
【図７】
2013078071.tif 000009
【図８】
2013078071.tif 000010